(57)【特許請求の範囲】
【請求項１】
ＦＭ変調された映像信号（ｆ1）をパルスカウント方式で復調するＦＭ復調回路であって、
前記映像信号を遅延するための遅延手段（１２）と、前記映像信号及び前記遅延手段の出力信号についてパルスカウント方式での位相比較に用いられる位相比較器（１３）と、前記位相比較器の出力信号をエンベロープ検波するための検波手段（１６）と、前記位相比較器の出力信号である復調ビデオ信号（ｆ2）のＦＭ検波を行うためのフィルタ手段（１４）と、前記検波手段の出力信号を反転させるための反転手段（１７）と、前記フィルタ手段の出力信号及び前記反転手段の出力信号を加算し、前記映像信号におけるＦＭキャリア（ｐ8）の断続時にＬレベルに固定される前記位相比較器の出力信号である前記復調ビデオ信号に発生する映像同期信号（ｐ9）下側に出力されるパルス（ｐ10）を除去するための加算手段（１８）とを備えたことを特徴とするＦＭ復調回路。
【発明の詳細な説明】
【０００１】
【発明の属する技術分野】
本発明は、テレビドアホン装置の映像信号のＦＭ復調回路に係り、特に、出画中のＦＭキャリアの断続時にデータ信号の送受を行ない得るＦＭ復調回路に関する。
【０００２】
【従来の技術】
従来、この種のＦＭ復調回路を適用したテレビドアホン装置としては、例えば、図３に示すようなものが知られている。
【０００３】
図３は、従来のテレビドアホン装置の構成図である。
【０００４】
図３において、テレビドアホン装置は、カメラアイ２１、スピーカ２１ａ、マイク２１ｂ及び呼出釦２３を備えるカメラ付き玄関子機ＳＱ11と、送受器３４、テレビモニタ３５及びスピーカ３６を備える室内親機ＭＱ11と、これらのカメラ付き玄関子機ＳＱ11と室内親機ＭＱ11間を接続する２線の伝送路ＣＢＬ11とＣＢＬ12とで構成されている。
【０００５】
かかる構成のテレビドアホン装置においては、映像信号がカメラ付き玄関子機ＳＱ11でＦＭ変調され、伝送されたＦＭ映像信号が室内親機ＭＱ11でパルスカウント方式で復調・再生されるように構成されている。
【０００６】
図４は、ＦＭ変調された映像信号をパルスカウント方式で復調・再生する従来のＦＭ復調回路のブロック図である。
【０００７】
図４において、室内親機ＭＱ11のＦＭ変調された映像信号の復調回路は、リミッタアンプ５１、遅延回路５２、位相比較器５３、低域通過フィルタ（ＬＰＦ）５４及びビデオアンプ５５とで構成されている。
【０００８】
図５は従来のテレビドアホン装置の周波数分布図、図６は従来の映像復調回路の特性図である。
【０００９】
図３〜図６において、従来のテレビドアホン装置においては、待ち受け中は、２線の伝送路ＣＢＬ11とＣＢＬ12を経由して、室内親機ＭＱ11からカメラ付玄関子機ＳＱ11に対して呼出検出用の直流電源DC1が印加されている。
【００１０】
しかして、呼出釦２３を押下すると、２線の伝送路ＣＢＬ11とＣＢＬ12間が短絡され、室内親機ＭＱ11からカメラ付玄関子機ＳＱ11に対してカメラ用直流電源DC2が供給される。そうすると、室内親機ＭＱ11のスピーカ３６から呼出音が出力され、カメラ付玄関子機ＳＱ11から、ベースバンドによる音声信号ｆ6及びＦＭ映像信号ｆ7が室内親機ＭＱ11へ送出され、これがテレビモニタ３５でモニタされる。
【００１１】
一方、モニタ中に、再び、カメラ付玄関子機ＳＱ11の呼出釦２３を押下すると、ＦＭ映像信号ｆ7のＦＭキャリアｐ8が、被変調信号であるコンポジットビデオ信号の垂直帰線区間で断続することになる。このＦＭ映像信号ｆ7のＦＭキャリアｐ8の断続を検出すると、室内親機ＭＱ11のスピーカ３６は、再び、呼出音を出力することになる。そして、室内親機ＭＱ11の送受器３４をオフフックすると、送受器３４とカメラ付玄関子機ＳＱ11のスピーカ２１ａ及びマイク２１ｂとで通話が可能になる。
【００１２】
なお、従来のテレビドアホン装置においては、カメラ付玄関子機ＳＱ11のＦＭ映像信号は、コンポジットビデオ信号を電圧制御発振器（ＶＣＯ）に入力することにより発生し、コンポジットビデオ信号の輝度信号が高いほど周波数が高くなるように構成されている。
【００１３】
【発明が解決しようとする課題】
上記のようなテレビドアホン装置の映像信号の復調回路においては、カメラ付玄関子機ＳＱ11から伝送されたＦＭ映像信号は、リミッタアンプ５１でロジックレベルまで増幅される。そして、増幅された信号は、排他的論理和回路（ＥＸ‐ＯＲ）で構成された位相比較器５３の一方の入力端子に直接入力され、他方の入力端子には、リミッタアンプ５１で増幅された信号が遅延回路５２で遅延されてから入力される。
【００１４】
一方、出画中のＦＭキャリアｐ8の断続時間は、遅延回路５２の遅延時間と比較すれば十分長いため、図６に示すように、排他的論理和回路（ＥＸ‐ＯＲ）の出力信号である復調ビデオ信号ｆ8は、キャリア断の間必ずＬレベルに固定される。この信号は、低域通過フィルタ（ＬＰＦ）５４を通過するため、復調された映像同期信号ｐ9の下側に大きなパルスｐ10となって現れる。このため、このような映像同期信号ｐ9を、クランプ回路を付加したビデオ回路に入力すると、映像同期信号ｐ9が本来の同期信号レベル以外の直流電位でクランプされるため、輝度信号レベルが変動したり、同期乱れが発生したりするという難点があった。
【００１５】
したがって、従来のテレビドアホン装置においては、テレビモニタの映像信号の入力部に、ビデオクランプ回路を付加することができず、このため、平均映像レベルが変化すると同期信号先端の直流電位が変動し、明るさを正しく再生することができないという難点があった。
【００１６】
本発明は上述した難点を解決するためになされたもので、出画中にＦＭキャリアの断続があっても復調後の映像同期信号に影響を与えず、かかる映像同期信号をクランプ回路を付加したビデオ回路に入力しても輝度信号のレベルが変動したり、同期乱れが発生したりする恐れのないＦＭ復調回路を提供することを目的とする。
【００１７】
【課題を解決する為の手段】
上記の目的を達成するために、本発明によるＦＭ復調回路は、ＦＭ変調された映像信号をパルスカウント方式で復調するＦＭ復調回路であって、映像信号を遅延するための遅延手段と、映像信号及び遅延手段の出力信号についてパルスカウント方式での位相比較に用いられる位相比較器と、位相比較器の出力信号をエンベロープ検波するための検波手段と、位相比較器の出力信号である復調ビデオ信号のＦＭ検波を行うためのフィルタ手段と、検波手段の出力信号を反転させるための反転手段と、フィルタ手段の出力信号及び反転手段の出力信号を加算し、映像信号におけるＦＭキャリアの断続時にＬレベルに固定される位相比較器の出力信号である復調ビデオ信号に発生する映像同期信号下側に出力されるパルスを除去するための加算手段とを備えたことを特徴としている。
【００１８】
本発明のＦＭ復調回路においては、パルスカウント方式での位相比較に用いる位相比較器の出力をエンベロープ検波する検波手段と、その出力をＦＭ検波後の映像信号に加算してＦＭキャリア断続時に発生する映像同期信号下側に出力されるパルスを除去する加算手段とを備えていることから、復調された映像同期信号の下側に大きなパルスが現れる恐れがなく、このため、かかる映像同期信号をクランプ回路を付加したビデオ回路に入力しても、輝度信号のレベルが変動したり、同期乱れが発生したりする恐れがなくなる。
【００１９】
【発明の実施の形態】
以下、本発明のＦＭ復調回路を適用した好ましい一実施例を図面に基づいて詳述する。
【００２０】
本発明のＦＭ復調回路を適用したテレビドアホン装置は、映像信号をＦＭ変調し伝送するカメラ付き玄関子機と、伝送されたＦＭ信号をパルスカウント方式で復調し再生する室内親機と、これらのカメラ付き玄関子機と室内親機間を接続する２線の伝送路とを備えており、この点は、図３に示す従来のテレビドアホン装置と同一構成である。
【００２１】
図１は、本発明によるＦＭ変調された映像信号をパルスカウント方式で復調するＦＭ復調回路の一実施例を示すブロック図である。
【００２２】
図１において、本発明のＦＭ復調回路は、リミッタアンプ１１、遅延回路１２、位相比較器１３、低域通過フィルタ（ＬＰＦ）１４、ビデオアンプ１５、エンベロープ検波回路１６、反転回路１７及び加算回路１８とを備えている。
【００２３】
図２は、本発明によるＦＭ復調回路の特性図である。
【００２４】
図１及び図２において、カメラ付き玄関子機ＳＱ11（図３参照）でＦＭ変調された映像信号ｆ1は、ＦＭ復調回路のリミッタアンプ１１でロジックレベルまで増幅され、増幅された信号は、排他的論理和回路（ＥＸ‐ＯＲ）で構成された位相比較器１３の一方の入力端子に直接入力され、他方の入力端子には、リミッタアンプ１１で増幅された信号が遅延回路１２で遅延されてから入力される。
【００２５】
そうすると、パルスカウント方式での位相比較に用いる排他的論理和回路（ＥＸ‐ＯＲ）の出力信号、すなわち位相比較器１３の出力信号である復調ビデオ信号ｆ2は、出画中のＦＭキャリアｐ8の断続時間が遅延回路１２の遅延時間と比較して十分長いため、ＦＭキャリアｐ8が断続している間は必ずＬレベルに固定される。ここで、位相比較器１３の出力信号である復調ビデオ信号ｆ2を、エンベロープ検波する検波手段としてのエンベロープ検波回路１６に入力すると、エンベロープ検波回路１６の出力は、ＦＭキャリアｐ8が断続している間はＬレベルに固定される。そして、エンベロープ検波回路１６の出力信号は反転回路１７で反転され、反転された信号ｆ3が加算手段としての加算回路１８に入力される。
【００２６】
そうすると、反転された信号ｆ3が、低域通過フィルタ（ＬＰＦ）１４を通過したＦＭ検波後の映像信号ｆ4に加算されることから、この加算回路１８において不要なパルスｐ10が除去されることになる。しかして、不要パルスｐ10を除去した復調映像信号ｆ5は、ビデオアンプ１５を介してテレビモニタ３５（図３参照）へ伝送される。
【００２７】
【発明の効果】
以上の説明から明らかなように、本発明のＦＭ復調回路によれば、パルスカウント方式での位相比較に用いる位相比較器の出力をエンベロープ検波し、その出力の一部を反転させ、これをＦＭ検波後の映像信号に加算していることから、ＦＭキャリア断続時に発生する映像同期信号下側に出力するパルスを除去することができ、ひいては、テレビモニタのビデオ信号入力部にクランプ回路を付加しても、輝度の変化や同期乱れを発生する恐れがなく、もって同期信号先端のレベルを一定に保ち、かつ明るさを正しく再生することができるテレビドアホン装置を提供することができる。
【図面の簡単な説明】
【図１】  本発明によるＦＭ復調回路の一実施例を示すブロック図。
【図２】  本発明によるＦＭ復調回路の特性図。
【図３】  テレビドアホン装置の構成図。
【図４】  従来のＦＭ復調回路のブロック図。
【図５】  テレビドアホン装置の周波数分布図。
【図６】  従来のＦＭ復調回路の特性図。
【符号の説明】
１２・・・・・遅延回路（遅延手段）
１３・・・・・位相比較器
１４・・・・・ＬＰＦ（フィルタ手段）
１６・・・・・エンベロープ検波回路（検波手段）
１７・・・・・反転回路（反転手段）
１８・・・・・加算回路（加算手段）
ｆ1・・・・・ＦＭ変調された映像信号
ｆ2・・・・・復調ビデオ信号
ｐ8・・・・・ＦＭキャリア
ｐ9・・・・・映像同期信号
ｐ10・・・・・映像同期信号下側に出力されるパルス
【図１】
0004405622.tif 000002
【図２】
0004405622.tif 000003
【図３】
0004405622.tif 000004
【図４】
0004405622.tif 000005
【図５】
0004405622.tif 000006
【図６】
0004405622.tif 000007